(57)【要約】【課題】兼用の切換弁による原水と浄水の切換を可能とする水栓において、雑菌による二次汚染を防止しながら、浄水器の耐久性の向上と配管構成および水栓内の水路構成の簡素化とを同時に実現するものである。【解決手段】複合単水栓３２は、原水と、原水を浄水器３６を通過させてなる浄水とを、単独の切換弁４５の操作により切換可能とし、原水用導水管３３と、浄水器３６へ原水を供給する浄化用水導水管３８と、浄水器３６より浄水を複合単水栓３２へ供給する浄水用導水管３４と、からなる三つの導水管に接続されると共に、複合単水栓３２内における浄水の通過経路と、複合単水栓３２内における原水の通過経路の一部とを同一の経路とし、切換弁４５は、原水用導水管３３より供給された原水を、そのまま吐出するか、浄化用水導水管３８に供給するか、止水するか、を選択可能に構成される。【選択図】  図１
2004278761.tif 000002
【特許請求の範囲】
【請求項１】
原水と、原水を浄水器を通過させてなる浄水とを、単独の切換手段の操作により切換えて、同一の吐出口から吐出する複合単水栓において、
複合単水栓は、原水用導水管と、浄水器へ原水を供給する浄化用水導水管と、浄水器より浄水を複合単水栓へ供給する浄水用導水管と、からなる三つの導水管に接続されると共に、
複合単水栓内における浄水の通過経路と、複合単水栓内における原水の通過経路の一部とを同一の経路とした、
ことを特徴とする複合単水栓。
【請求項２】
切換手段は、原水用導水管より供給された原水を、そのまま吐出するか、浄化用水導水管に供給するか、止水するか、を選択可能に構成されている、
ことを特徴とする請求項１に記載の複合単水栓。
【請求項３】
前記三つの導水管のうち、少なくとも浄水用導水管には、逆止弁を設けた、
ことを特徴とする請求項１または請求項２に記載の複合単水栓。
【発明の詳細な説明】
【０００１】
【発明の属する技術分野】
本発明は、原水と浄水とを一体の水栓から吐出可能とする複合単水栓に関する。
【０００２】
【従来の技術】
従来から、原水として、水又は湯の状態の水道水を吐出するための単水栓は知られており、該単水栓の水回路に浄水器を付設して、原水に加えて浄水をも給水可能に構成する場合があった。
そして、浄水を給水する場合には、前記単水栓とは別に浄水専用の水栓を設けたり、一つの単水栓にて原水の吐水、及び、浄水の吐水を可能に構成したりしていた。
このように、原水と浄水とを同一の単水栓から吐出するように構成した水栓の技術の一例として、例えば、特許文献１に開示される技術がある。
【０００３】
特許文献１に開示される水栓では、原水の吐水と浄水の吐水とを切り換える切換弁が同一の切換弁により行われるものとなっており、それぞれを別の切換弁により切換える構成の水栓と比べて、操作が容易であり、誤操作することもないものとなっている。
また、浄水器の浄水出口部から浄水の吐水口までの間の通水路内に、塩素を含む原水を通過させる構成とすることで、この通水路内での雑菌の繁殖等による二次汚染を防止する構成としていた。浄水は使用頻度が低く、浄水器により浄化された浄水は、水道水中に含まれている残留塩素が除去された状態にあるので、通水路内に長時間滞留した場合には残留塩素による抗菌（雑菌繁殖防止）作用が期待できないが、この対策を施したものである。
【０００４】
【特許文献１】
特開２０００−１１０９５５号公報
【０００５】
【発明が解決しようとする課題】
前記特許文献１には、水栓内の流路構成および配管構成の異なる二つの水栓の例が記載されている。
ここで、一方の例では、水栓において切換えるべき原水と浄水とを常時待機させておくために、給水管（水道管）の元栓を緩めた状態では、水栓に原水と浄水とが常時供給されるように圧力が加えられるものとなっている。ここで、浄水を水栓に供給すべく待機させるため、前記元栓を緩めた状態では、浄水器に常時圧力が加えられている状態とされており、浄水器の耐久性を損なうものとなっていた。
また、他方の例では、浄水器に常時圧力が加わる状態を改善するために、水栓において浄水が切換えられた後に、浄水器に浄化用の原水が供給される構成として、浄水器に常時圧力が加わることを防止しているが、配管構成および水栓内の水路構成が複雑化している。
そこで本発明は、兼用の切換弁による原水と浄水の切換を可能とする水栓において、雑菌による二次汚染を防止しながら、前記対立する二つの問題の改善、つまり、浄水器の耐久性の向上と配管構成および水栓内の水路構成の簡素化とを同時に実現するものである。
【０００６】
【課題を解決するための手段】
本発明の解決しようとする課題は以上の如くであり、次に該課題を解決するための手段を説明する。
即ち、請求項１においては、原水と、原水を浄水器を通過させてなる浄水とを、単独の切換手段の操作により切換えて、同一の吐出口から吐出する複合単水栓において、
複合単水栓は、原水用導水管と、浄水器へ原水を供給する浄化用水導水管と、浄水器より浄水を複合単水栓へ供給する浄水用導水管と、からなる三つの導水管に接続されると共に、
複合単水栓内における浄水の通過経路と、複合単水栓内における原水の通過経路の一部とを同一の経路とした、ものである。
【０００７】
請求項２においては、切換手段は、原水用導水管より供給された原水を、そのまま吐出するか、浄化用水導水管に供給するか、止水するか、を選択可能に構成されているものである。
【０００８】
請求項３においては、前記三つの導水管のうち、少なくとも浄水用導水管には、逆止弁を設けたものである。
【０００９】
【発明の実施の形態】
本発明の複合単水栓の一実施の形態について、図面を用いて説明する。
図１に示すように、一実施の形態である複合単水栓３２は、キッチン等のカウンター天板に取付られるものであり、水栓本体３２ａに設けられた切換操作レバー３２ｂを回動操作することにより、原水と浄水との何れか一方を、吐水パイプ３２ｃを通じて吐水口３２ｄから選択的に吐出するように構成している。
複合単水栓３２内には下端部から、原水としての水道水を複合単水栓３２に供給する原水用導水管３３、下端が浄水器３６の入口部３６ａに連結された浄化用水供給管３８、下端が浄水器３６の出口部３６ｂに連結された浄水用導水管３４、が嵌入している。
【００１０】
また、原水用導水管３３の下端部には逆止弁５６及び止水栓５５を介して給水管（水道管）に接続されており、給水管からの原水（水道水）が、原水用導水管３３を通じて複合単水栓３２に供給されている。
原水（水道水）のまま、吐水口３２ｄから吐出させる場合は、複合単水栓３２内に供給された原水を、複合単水栓３２内を経由して、そのまま吐出口３２ｄから吐出される。
浄水を吐水口３２ｄから吐出させる場合は、まず、複合単水栓３２内に供給された原水を、浄水器３６への行き経路である浄化用水供給管３８を通じて浄水器３６へ供給する。そして、浄化用水供給管３８を通じて浄水器３６へ送出された原水は、該浄水器３６で浄化された後に浄水として浄水用導水管３４を通じて複合単水栓３２へ送出され、吐出口３２ｄから吐出される。
【００１１】
複合単水栓３２側へ原水もしくは浄水を供給する配管には、逆止弁が設けられている。原水用導水管３３には逆止弁５６が設けられ、浄水用導水管３４には逆止弁５４が設けられている。そして、原水もしくは浄水が、逆流しないようにしている。なお、浄化用水供給管３８にも逆止弁を設ける構成としても良い。
【００１２】
このように、複合単水栓３２には、原水と浄水とが供給されており、前記切換操作レバー３２ｂを回動操作することで、原水と浄水との何れか一方を、吐水口３２ｄから選択的に吐出するように構成している。
なお、原水用導水管３３を通じて複合単水栓３２へ供給される原水としての水道水は、水道管等からそのまま供給された場合には水として吐水口３２ｄから吐出され、途中で給湯器等により加温されて供給された場合には湯として吐水口３２ｄから吐出されるものである。
また、浄水器は湯（加温した原水）に対応していない構成のものが一般であるため、複合単水栓３２における切換で、浄水器６に湯を通過させて浄化させることは行わない。もちろん、湯に対応した構成の浄水器を用いる場合は、該浄水器に原水を加温して生成した湯を通過させて、浄化を行うようにしても良い。
【００１３】
次に、複合単水栓３２に備える単独の切換手段について説明する。該切換手段は、原水の吐水、浄水の吐水、及び、止水を、切り換えるものである。
図２、図３に示すように、複合単水栓３２には、弁軸受け３２ｅの内部に切換弁４５が内装されており、該切換弁４５の外部操作により、原水、浄水、止水の切換が可能とされている。
また、複合単水栓３２に下端から嵌入する前記原水用導水管３３は、水栓本体３２ａ内の給水流路４１と連結される。また、前記浄水用導水管３４は吐水流路４４と連結され、前記浄化用水供給管３８は浄化用水流路４３と連結される。
ここで、給水流路４１、吐出流路４４、浄化用水流路４３は、水栓本体３２ａの内壁と、弁軸受け３２ｅの外壁との間に形成される空間である。また、弁軸受け３２ｅの適宜位置には、水栓本体３２ａの内壁に当接する突出部が形成されており、給水流路４１、吐出流路４４、浄化用水流路４３は、それぞれ相互が遮断される構成となっている。
【００１４】
該切換弁４５は、その一端部が切換操作レバー３２ｂと一体的に連結される切換弁軸４５ａと、該切換弁軸４５ａの他端部にビス５２により取り付けられた第一弁４５ｂ及び第二弁４５ｃと、切換弁軸４５ａが回動自在に螺嵌される弁ケース４５ｄで構成されている。そして、切換弁４５と切換操作レバー２ｂとにより、水又は湯の吐水、浄水の吐水、及び、止水を切り換える切換装置が構成されている。
【００１５】
第一弁４５ｂ及び第二弁４５ｃはビス５２に摺動自在に嵌装され、該第一弁４５ｂと第二弁４５ｃとの間にはスプリング５１が介装されており、図２において、第一弁４５ｂは吐水流路４４方向に、第二弁４５ｃは浄化用水流路４３方向に付勢されている。
切換弁４５の切換弁軸４５ａは弁ケース４５ｄの螺子部に螺嵌されており、切換弁軸４５ａの回動操作に伴って軸方向に移動するように構成している。
また、弁軸受け３２ｅの内壁によって囲まれる、切換弁４５の第一・第二弁４５ｂ・４５ｃ外周部の空間は弁室４７として形成される。ここで、給水流路４１と弁室４７とは、弁軸受け３２ｅに形成された連通孔３２ｆによって連通可能となっている。なお、連通状態となるのは、図５に示す原水吐出時である（後述）。
また、切換弁軸４５ａには切欠部４５ｅが形成され、該切欠部４５ｅと吐出流路４４とは、弁ケース４５ｄに形成された連通孔４５ｆと、弁軸受け３２ｅに形成された連通孔４５ｆとを介して連通可能となっている。切欠部４５ｅと弁室４７との連通は、第一弁４５ｂにより遮断可能となっており、連通状態となるのは、図６に示す浄水吐出時である（後述）。また、吐水流路４４は吐水パイプ３２ｃと連通している。
一方、弁室４７と浄化用水流路４３とは、弁軸受け３２ｅに形成された連通孔３２ｈを介して連通可能となっている。弁室４７と浄化用水流路４３との連通は、第二弁４５ｃにより遮断可能となっており、連通状態となるのは、図６に示す浄水吐出時である（後述）。
【００１６】
そして、図２、図４に示す切換操作レバー３２ｂの回動位置（止水位置Ｎ）においては、複合単水栓３２は止水状態となっている。
即ち、原水用導水管３３から給水流路４１に供給され弁室４７内へ浸入した原水は、弁室４７と切欠部４５ｅとの連通が第一弁４５ｂにより分断されているため、吐水流路４４へは流れ込まない。
また、弁室４７と浄化用水流路４３との連通が第二弁４５ｃにより閉塞されているため、浄化用水流路４３および浄化用水供給管３８へは流れ込まない。
つまり、原水用導水管３３から給水流路４１に供給された原水は、弁室４７内に留められ、吐水口３２ｄに送出されることはないのである。
【００１７】
図５を用いて、原水吐出時について説明する。
図４に示すように、切換操作レバー３２ｂを水平状態とした止水位置Ｎから、下方へ回動操作して原水位置Ｐとすると、吐水口３２ｄから原水が吐出されることとなる。
図５に示すように、原水位置Ｐとした切換弁４５の切換状態では、前記切換弁軸４５ａが、切換操作レバー３２ｂの回動操作に伴って、浄化用水流路４３方向に移動する。
そして、切換弁軸４５ａの移動により、第一弁４５ｂが浄化用水流路４３方向に移動されて、弁室４７と切換弁軸４５ａの切欠部４５ｅとが連通し、弁室４７内に侵入した原水が吐出流路４４に流れ込む。そして、この原水は、吐出流路４４と連通する吐出パイプ３２ｃを介して、吐水口３２ｄから吐出されるのである。
なお、弁体４７と浄化用水流路４３との連通は、この切換操作によって、浄化用水流路４３側に移動させられた第二弁４５ｃにより、遮断されたままである。
【００１８】
図６を用いて、浄水吐出時について説明する。
図４に示すように、切換操作レバー３２ｂを水平状態とした止水位置Ｎから、上方へ回動操作して浄水位置Ｃとすると、吐水口３２ｄから浄水が吐出されることとなる。
図６に示すように、浄水位置Ｃとした切換弁４５の切換状態では、前記切換弁軸４５ａが、切換操作レバー３２ｂの回動操作に伴って、吐出流路４４方向に移動する。
そして、切換弁軸４５ａの移動により、第二弁４５ｃが吐出流路４４方向に移動されて、弁室４７と浄化用水流路４３とが連通し、弁室４７内に侵入した原水が浄化用水流路４３に流れ込む。そして、浄化用水流路４３に流れ込んだ原水は、浄化用水供給管３８を通じて浄水器３６へ送出され、該浄水器３６にて浄化された後、浄水として浄水用導水管３４を通じて吐水流路４４に送出され、吐水口３２ｄから吐出されるのである。
なお、弁室４７と吐出流路４４との連通は、この切換操作によって、吐水流路４４側に移動させられた第一弁４５ｂにより、遮断されたままである。
【００１９】
このように、切換弁４５と切換操作レバー３２ｂとで構成される単独の切換装置を回動操作するだけで、複合単水栓３２は原水の吐水と、浄水の吐水、止水との切換を行うことができるのである。これにより、吐水と止水との切換操作と、原水の吐水と浄水の吐水との切換操作とを同時に行うことができ、これらの切換操作が簡便になるとともに、誤操作を防止することができる。
【００２０】
ここで、原水および浄水の通過経路について、図３を用いて再確認する。
まず、原水を吐出口３２ｄより吐出する場合について説明する。給水管（水道管）から供給された原水（水道水）は、まず、原水用導水管３３、給水流路４１、弁室４７へと供給される。切換弁４５の切換操作により第一弁４５ｂが開放されると、前記原水は、弁室４７、吐出経路４４へと供給され、吐出口３２ｄより吐出される。
次に、浄水を吐出口３２ｄより吐出する場合について説明する。給水管（水道管）から供給された原水（水道水）は、まず、原水用導水管３３、給水流路４１、弁室４７へと供給される。ここまでの経路、浄水を吐出する場合においても、原水を吐出する場合と同じである。そして、切換弁４５の切換操作により第二弁４５ｃが開放されると、前記原水は、弁室４７、浄化用水流路４３、浄化用水供給管３８を介して浄水器３６へ供給される。浄水器３６では原水が浄化されて浄水となり、該浄水は浄水用導水管３４を経て吐出流路４４へと供給され、吐出口３２ｄより吐出される。
【００２１】
以上において、浄水の通過経路は、浄水用導水管３４、吐出経路４４を経由して吐出口３２ｃに至る経路である。ここで、吐出流路４４から吐出口３２ｃに至る経路は、原水吐出時の経路と一致している。つまり、複合単水栓３２内において、浄水の通過経路は、原水の通過経路と重複する構成となっている。
このため、浄水の通過経路に残留している浄水を、複合単水栓３２と前記各配管との接続部等を除き、塩素を含む水道水によって洗浄することができ、浄水が通過する全ての通水路内部で雑菌が繁殖することを防止することができるものとなっている。
【００２２】
ここで、複合単水栓３２は、原水と、原水を浄水器を通過させてなる浄水とを、単独の切換手段（切換弁４５）の操作により切換えて、同一の吐出口から吐出するものである。そして、原水用導水管３３と、浄水器３６へ原水を供給する浄化用水導水管３８と、浄水器３６より浄水を複合単水栓３２へ供給する浄水用導水管３４と、からなる三つの導水管に接続されるものである。
加えて、複合単水栓３２内における浄水の通過経路と、複合単水栓３２内の原水の通過経路の一部とを同一の経路としている。
【００２３】
このため、複合単水栓３２に接続する配管構成および複合単水栓３２内の水路構成を簡素化しながら、浄水の通過経路に残留している浄水を、複合単水栓３２と前記各配管との接続部等を除き、塩素を含む水道水によって洗浄することができ、浄水が通過する全ての通水路内部で雑菌が繁殖することを防止することができる。
【００２４】
また、切換手段（切換弁４５）は、原水用導水管より供給された原水を、そのまま吐出するか、浄化用水導水管３８に供給するか、止水するか、を選択可能に構成されている。
【００２５】
このため、浄化用水導水管３８に切換えた場合のみ、浄水器３６に水圧が加わることとなり、浄水器３６の耐久性を向上させることができる。
【００２６】
また、以上構成の複合単水栓３２の内部において、水の通過経路は、次のようなものとなっている。
原水を吐出する場合は、複合単水栓３２内の水の通過経路は、給水流路４１から、弁室４７、吐水流路４４を経て、吐出口３２ｃに至る経路である。
また、浄水を吐出する場合は、複合単水栓３２内の水の通過経路は、第一には、給水流路４１から、弁室４７を経て、浄化用水流路４３に至る第一経路であり、第二には、吐水流路４４を経て、吐出口３２ｃに至る第二経路である。ここで、第二経路は浄水の通過経路であるが、第一経路は浄水となる前の浄化用水の通過経路であって、すなわち原水の通過経路である。
【００２７】
つまり、原水吐出と浄水吐出との切換操作を両方行うことにより、複合単水栓３２と前記各配管との接続部等を除き、複合単水栓３２内に形成される水の通過経路の殆どの部位を、必ず原水が通過する構成となっている。
原水を吐出するように切換えた場合には、原水が給水流路４１から、弁室４７、吐水流路４４を経て、吐出口３２ｃに至るものである。また、浄水を吐出するように切換えた場合には、原水が給水流路４１から、弁室４７を経て、浄化用水流路４３に至るものである。したがって、原水吐出の切換え操作と浄水吐出の切換え操作とを両方行うことで、複合単水栓３２内に形成される水の通過経路の殆どの部位を、原水が通過することになる。
【００２８】
このため、複合単水栓３２内の水の通過経路を、塩素を含む水道水によって洗浄することができ、通水路内部で雑菌が繁殖することを防止することができる。
【００２９】
また、前記三つの導水管、すなわち原水用導水管３３、浄化用水導水管３８、浄水用導水管３４のうち、少なくとも浄水用導水管３８には、逆止弁５４を設ける構成とすることで、浄水器３６への原水の逆流を防止することができる。したがって、浄水器３６の耐久性の向上に繋がる。
【００３０】
【発明の効果】
請求項１記載の如く、原水と、原水を浄水器を通過させてなる浄水とを、単独の切換手段の操作により切換えて、同一の吐出口から吐出する複合単水栓において、
複合単水栓は、原水用導水管と、浄水器へ原水を供給する浄化用水導水管と、浄水器より浄水を複合単水栓へ供給する浄水用導水管と、からなる三つの導水管に接続されると共に、
複合単水栓内における浄水の通過経路と、複合単水栓内における原水の通過経路の一部とを同一の経路としたので、
複合単水栓に接続する配管構成および複合単水栓内の水路構成を簡素化しながら、浄水の通過経路に残留している浄水を、塩素を含む水道水によって洗浄することができ、浄水が通過する全ての通水路内部で雑菌が繁殖することを防止することができる。
【００３１】
請求項２記載の如く、切換手段は、原水用導水管より供給された原水を、そのまま吐出するか、浄化用水導水管に供給するか、止水するか、を選択可能に構成されているので、
浄化用水導水管に切換えた場合のみ、浄水器に水圧が加わることとなり、浄水器の耐久性を向上させることができる。
【００３２】
請求項３記載の如く、前記三つの導水管のうち、少なくとも浄水用導水管には、逆止弁を設けたので、
浄水器への原水の逆流を防止することができる。したがって、浄水器の耐久性の向上に繋がる。
【図面の簡単な説明】
【図１】複合単水栓３２およびそれに接続される導水管を示す正面図である。
【図２】止水時における複合単水栓３２の内部構成を示す正面断面図である。
【図３】複合単水栓３２およびそれに接続される導水管の水路構成を示すブロック図である。
【図４】切換操作レバー３２ｂを示す複合単水栓３２の側面図である。
【図５】原水吐出時における複合単水栓３２の内部構成を示す正面断面図である。
【図６】浄水吐出時における複合単水栓３２の内部構成を示す正面断面図である。
【符号の説明】
３２  複合単水栓
３３  原水用導水管
３４  浄水用導水管
３８  浄化用水導水管
４５  切換弁
５４  逆止弁
【図１】
2004278761.tif 000003
【図２】
2004278761.tif 000004
【図３】
2004278761.tif 000005
【図４】
2004278761.tif 000006
【図５】
2004278761.tif 000007
【図６】
2004278761.tif 000008